(57)【要約】      （修正有）【課題】  オリジナル原稿の複写の際に地紋を埋め込み、再複写の際に地紋パターンによる「コピー禁止」等の文字列を出現させる。【解決手段】  印刷処理は、印刷すべきデータがオリジナルデータであるか否かを判定し、オリジナルデータは、そのまま印刷し、印刷すべきデータがオリジナルデータでなく、オリジナルデータを印刷したコピーデータである場合に、コピー制限の設定がなされているか否かを判定し、コピー制限が設定されていない場合には、そのままコピーデータを印刷し、コピー制限が設定されている場合には、上記コピーデータに地紋パターンが含まれているか否かを判定し、含まれている場合には、そのままコピーデータを印刷し、含まれていない場合には、コピーデータに複写禁止を示す所定のデータが含まれているか否かを判定し、含まれていない場合には、そのまま印刷し、含まれている場合には、予め設定された所定の地紋パターンを付加して、印刷する。【選択図】        図４
2008005309.tif 000002
【特許請求の範囲】
【請求項１】
複写を禁止したい原稿画像に地紋を埋め込む地紋付加印刷機能を有する画像形成装置であって、
地紋を埋め込で印刷する印刷処理手段と、
上記印刷処理手段の動作を制御する制御手段とを備え、
上記制御手段は、印刷すべきデータがオリジナルデータであるか否かを判定し、オリジナルデータは、そのまま印刷し、印刷すべきデータが、オリジナルデータを印刷した原稿のコピーデータである場合に、コピー制限の設定がなされているか否かを判定し、コピー制限が設定されていない場合には、そのまま上記コピーデータを印刷し、コピー制限が設定されている場合には、予め設定された所定の地紋パターンを付加して、上記コピーデータを印刷するように、上記印刷処理手段の動作を制御することを特徴とする画像形成装置。
【請求項２】
上記制御手段は、コピー制限が設定されている場合に、上記コピーデータに地紋パターンが含まれているか否かを判定し、上記コピーデータに地紋パターンが含まれている場合には、そのまま上記コピーデータを印刷し、上記コピーデータに地紋パターンが含まれていない場合には、予め設定された所定の地紋パターンを付加して、上記コピーデータを印刷するように、上記印刷処理手段の動作を制御することを特徴とする請求項１記載の画像形成装置。
【請求項３】
上記制御手段は、コピー制限が設定されている場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷するように、上記印刷処理手段の動作を制御することを特徴とする請求項１記載の画像形成装置。
【請求項４】
上記制御手段は、上記コピーデータに地紋パターンが含まれていない場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷するように、上記印刷処理手段の動作を制御することを特徴とする請求項２記載の画像形成装置。
【請求項５】
複写を禁止したい原稿画像に地紋を埋め込んで印刷する地紋付加印刷を実行するための画像形成処理プログラムであって、
印刷すべきデータがオリジナルデータであるか否かを判定し、オリジナルデータは、地紋を埋め込むことなく、そのまま印刷し、
印刷すべきデータがオリジナルデータでなく、オリジナルデータを印刷した原稿のコピーデータである場合に、コピー制限の設定がなされているか否かを判定し、コピー制限が設定されていない場合には、地紋を埋め込むことなく、そのまま上記コピーデータを印刷し、
コピー制限が設定されている場合には、予め設定された所定の地紋パターンを付加して、上記コピーデータを印刷することを特徴とする画像形成処理プログラム。
【請求項６】
上記コピー制限が設定されている場合に、上記コピーデータに地紋パターンが含まれているか否かを判定し、上記コピーデータに地紋パターンが含まれている場合には、そのまま上記コピーデータを印刷し、上記コピーデータに地紋パターンが含まれていない場合には、予め設定された所定の地紋パターンを付加して、上記コピーデータを印刷することを特徴とする請求項５記載の画像形成処理プログラム。
【請求項７】
上記コピー制限が設定されている場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷することを特徴とする請求項５記載の画像形成処理プログラム。
【請求項８】
上記コピーデータに地紋パターンが含まれていない場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷することを特徴とする請求項６記載の画像形成処理プログラム。
【発明の詳細な説明】
【技術分野】
【０００１】
本発明は、用紙に印刷データとともに、原本では目立たず、複写を取った場合にその複写物に所定にパターンを顕現させる地紋パターンを印刷する機能を有する画像形成装置及び画像形成処理プログラムに関する。
【背景技術】
【０００２】
近年、コピー技術の発展によって複写物の高画質が進み、原本に極めて近い複写物を得ることができるようになった。しかし、その一方で、複写物が不正に利用される問題もあり、原本と複写物とを見分けることができるような技術が望まれるようになった。
【０００３】
複写を禁止したい原稿画像に地紋を埋め込むことにより複写を抑制する技術が提案されている。これは、原稿画像に用いる用紙の背景にベース領域とメッセージ領域とをもつ地紋パターンが作成された用紙を用いるというものである。地紋パターンは、原稿画像においてはそれほど目立たず、原稿画像に含まれている情報の判読等に支障を及ぼさない。しかしながら、このような地紋パターンが埋め込まれた原稿画像が複写されると、例えばメッセージ領域の模様が浮かび上がる、というものである。そこで、メッセージ領域の模様として、例えば「コピー禁止」というような文字を与えておくことにより、その複写物がコピー禁止の機密書類であったことが一目瞭然となり、心理的に、複写に対する規制力を生じさせることができる。
【０００４】
また、例えば企業においては、文書内容の機密保持の観点から、複写が禁止されている機密文書が多数存在する。このような機密文書についても、複写を全く行なうことができないようにするか、あるいは、正しく複写を行なうことができないようにする措置をとることが必要である。そこで、文書中に複写を禁止する文字がある場合や文書中に複写を禁止する地紋パターンがある場合に、出力しないようにした画像処理装置が提案されている（例えば、特許文献１，２参照）。
【特許文献１】特開２００５−１４２８３８号公報
【特許文献２】特開２００４−２７４０９２号公報
【発明の開示】
【発明が解決しようとする課題】
【０００５】
ところで、複写を禁止したい原稿画像に地紋を埋め込むことにより複写を抑制する場合、地紋印刷は文書中一面に地紋パターンが印刷されるため、オリジナルデータを印刷したい場合でも文書一面にうっすら色がかぶって見え、見栄えが悪くなってしまう。カラー印刷の場合は特に見栄えが悪くなってしまう。
【０００６】
また、文書中に複写を禁止する文字がある場合や文書中に複写を禁止する地紋パターンがある場合に、出力しないようにしたのでは、オリジナルデータを印刷した原稿からの複写は可能としたい場合でも印刷できないという問題が生じる。
【０００７】
そこで、本発明の目的は、オリジナルデータを印刷した原稿からの複写は可能とし、原稿の複写の際に地紋を埋め込み、再複写の際に地紋パターンによる「コピー禁止」等の文字列を出現させることができるようにすることにある。
【０００８】
本発明の更に他の目的、本発明によって得られる具体的な利点は、以下に説明される実施の形態の説明から一層明らかにされる。
【課題を解決するための手段】
【０００９】
本発明は、複写を禁止したい原稿画像に地紋を埋め込む地紋付加印刷機能を有する画像形成装置であって、地紋を埋め込で印刷する印刷処理手段と、上記印刷処理手段の動作を制御する制御手段とを備え、上記制御手段は、印刷すべきデータがオリジナルデータであるか否かを判定し、オリジナルデータは、そのまま印刷し、印刷すべきデータが、オリジナルデータを印刷した原稿のコピーデータである場合に、コピー制限の設定がなされているか否かを判定し、コピー制限が設定されていない場合には、そのまま上記コピーデータを印刷し、コピー制限が設定されている場合には、予め設定された所定の地紋パターンを付加して、上記コピーデータを印刷するように、上記印刷処理手段の動作を制御することを特徴とする。
【００１０】
本発明に係る画像形成装置において、上記制御手段は、例えば、コピー制限が設定されている場合に、上記コピーデータに地紋パターンが含まれているか否かを判定し、上記コピーデータに地紋パターンが含まれている場合には、そのまま上記コピーデータを印刷し、上記コピーデータに地紋パターンが含まれていない場合には、予め設定された所定の地紋パターンを付加して、上記コピーデータを印刷するように、上記印刷処理手段の動作を制御する。
【００１１】
また、本発明に係る画像形成装置において、上記制御手段は、例えば、コピー制限が設定されている場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷するように、上記印刷処理手段の動作を制御する。
【００１２】
さらに、本発明に係る画像形成装置において、上記制御手段は、例えば、上記制御手段は、上記コピーデータに地紋パターンが含まれていない場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷するように、上記印刷処理手段の動作を制御する。
【００１３】
本発明に係る画像形成処理プログラムは、複写を禁止したい原稿画像に地紋を埋め込んで印刷する地紋付加印刷を実行するための画像形成処理プログラムであって、印刷すべきデータがオリジナルデータであるか否かを判定し、オリジナルデータは、そのまま印刷し、印刷すべきデータがオリジナルデータでなく、オリジナルデータを印刷した原稿のコピーデータである場合に、コピー制限の設定がなされているか否かを判定し、コピー制限が設定されていない場合には、地紋を埋め込むことなく、そのまま上記原稿のコピーデータを印刷し、コピー制限が設定されている場合には、予め設定された所定の地紋パターンを付加して、上記コピーデータを印刷することを特徴とする。
【００１４】
本発明に係る画像形成処理プログラムでは、例えば、上記コピー制限が設定されている場合に、上記コピーデータに地紋パターンが含まれているか否かを判定し、上記コピーデータに地紋パターンが含まれている場合には、そのまま上記コピーデータを印刷し、上記コピーデータに地紋パターンが含まれていない場合には、予め設定された所定の地紋パターンを付加して、上記コピーデータを印刷する。
【００１５】
また、本発明に係る画像形成処理プログラムでは、例えば、上記コピー制限が設定されている場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷する。
【００１６】
さらに、本発明に係る画像形成処理プログラムでは、例えば、上記コピーデータに地紋パターンが含まれていない場合に、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記コピーデータを印刷する。
【発明の効果】
【００１７】
本発明によれば、オリジナルデータを印刷した原稿からの複写は可能とし、原稿の複写の際に地紋を埋め込むことができる。
【発明を実施するための最良の形態】
【００１８】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１９】
本発明は、例えば図１に示すように、ユーザーが印刷を指示するクライアント１１０と画像形成装置（印刷機）１２０がＬＡＮなどのネットワーク１３０を介して相互に通信可能に接続されたてなる印刷システム１００に適用される。なお、画像形成装置１２０は、ネットワーク１３０を介することなく、ＵＳＢインターフェースあるいはパラレルインターフェースなど介してクライアント１１０に直接接続されていてもよい。
【００２０】
クライアント１１０は、例えば、所謂パーソナルコンピュータからなり、図２に示すように、装置全体の制御および各種演算処理を行うＣＰＵ１１１、プログラムやデータを格納するためのＲＯＭ１１２、作業領域として一時的にプログラムやデータを記憶するためのＲＡＭ１１３、各種のプログラムやデータを保存するための外部記憶装置としてのハードディスク１１４、各種情報の表示のための液晶ディスプレイなどの表示部１１５、各種指示の入力のためのキーボードやマウスなどからなる入力部１１６、上記ネットワーク１３０に接続するためのＬＡＮカードなどのネットワークインタフェース１１７などがバス１１８を介して相互に接続されてなる。
【００２１】
また、画像形成装置１２０は、図３のブロック図に示すように、装置全体の制御および各種演算処理を行うＣＰＵ１２１、プログラムやデータを格納するためのＲＯＭ１２２、作業領域として一時的にプログラムやデータを記憶するためのＲＡＭ１２３やハードディスク部１２４、各種情報の表示および各種指示の入力に使用される操作パネル部１２５、
原稿の読み取るスキャナ部１２６、上記スキャナ部１２６により読み取った原稿に対応する画像データを生成する画像処理部１２７、上記スキャナ部１２６により読み取った原稿に含まれる所定の画像を検知する画像検知部１２８、電子写真式プロセス等の周知の作像プロセスを用いて、各種データを用紙などの記録材上に印刷する印刷部１２９、および上記ネットワーク１３０に接続するためのＬＡＮカードなどのネットワークインタフェース１３１などがバス１３２を介して相互に接続されてなる。
【００２２】
この印刷システム１００において、画像形成装置１２０は、例えば図４のフローチャートに示す手順に従って印刷処理を実行する。
【００２３】
すなわち、画像形成装置１２０のＣＰＵ１２１は、印刷命令を受け付けたか否かを判定しており（ステップＳ１）、印刷命令を受けるとステップＳ２に進んで、印刷すべきデータがオリジナルのデータ、例えば上記ネットワーク１３０を介して上記クライアント１１０から送られてきたデータであるか否かを判定する。
【００２４】
そして、このステップＳ２における判定結果がＹＥＳ、すなわち、オリジナルデータである場合には、ステップＳ３に進んで、印刷部１２９により、地紋を埋め込むことなく、そのままオリジナルデータを印刷する。
【００２５】
また、上記ステップＳ２における判定結果がＮＯ、すなわち、印刷すべきデータがオリジナルデータでなく、オリジナルデータを印刷した原稿を上記スキャナ部１２６により読み取った画像データである場合には、ステップＳ４に進んで、当該画像形成装置１２０にコピー制限の設定がなされているか否かを判定する。
【００２６】
このステップＳ４における判定結果がＮＯ、すなわち、コピー制限が設定されていない場合には、ステップＳ５に進んで、上記画像処理部１２７において、上記スキャナ部１２６により読み取った原稿に対応する画像データすなわちコピーデータを生成し、上記印刷部１２９により、地紋を埋め込むことなく、そのまま上記コピーデータを印刷する。
【００２７】
また、上記ステップＳ４における判定結果がＹＥＳ、すなわち、コピー制限が設定されている場合には、ステップＳ６に進んで、上記画像処理部１２７において生成される上記スキャナ部１２６により読み取った原稿に対応する画像データすなわちコピーデータに上記画像検知部１２８により検知される地紋パターンが含まれているか否かを判定する。
【００２８】
そして、このステップＳ６における判定結果がＹＥＳ、すなわち、コピーデータに地紋パターンが含まれている場合には、上記ステップＳ５に進んで、上記印刷部１２９により、地紋を埋め込むことなく、そのまま上記原稿のコピーデータを印刷する。また、上記ステップＳ６における判定結果がＮＯ、すなわち、コピーデータに地紋パターンが含まれていない場合には、「コピー禁止」などの複写禁止を示す所定の文字列が含まれているか否かを判定する。
【００２９】
そして、このステップＳ７における判定結果がＮＯ、すなわち、コピーデータに複製禁止を示す所定の文字列が含まれていない場合には、上記ステップＳ５に進んで、上記印刷部１２９により、地紋を埋め込むことなく、そのまま上記原稿のコピーデータを印刷する。
【００３０】
また、上記ステップＳ７における判定結果がＹＥＳ、すなわち、コピーデータに複製禁止を示す所定の文字列が含まれている場合には、ステップＳ８に進んで、上記印刷部１２９により、予め設定された所定の地紋パターンを付加して、上記オリジナル原稿のコピーデータを印刷する地紋付加印刷を行う。
【００３１】
このように、この印刷システム１００では、印刷すべきデータがオリジナルデータであるか否かを判定し、オリジナルデータは、そのまま印刷し、印刷すべきデータがオリジナルデータでなく、オリジナルデータを印刷した原稿のコピーデータである場合に、コピー制限の設定がなされているか否かを判定し、コピー制限が設定されていない場合には、そのまま上記コピーデータを印刷し、コピー制限が設定されている場合には、上記コピーデータに地紋パターンが含まれているか否かを判定し、上記コピーデータに地紋パターンが含まれている場合には、そのまま上記コピーデータを印刷し、上記コピーデータに地紋パターンが含まれていない場合には、上記コピーデータに複写禁止を示す所定のデータが含まれているか否かを判定し、上記コピーデータに複写禁止を示す所定のデータが含まれていない場合には、そのまま上記コピーデータを印刷し、上記コピーデータに複写禁止を示す所定のデータが含まれている場合には、予め設定された所定の地紋パターンを付加して、上記オリジナル原稿のコピーデータを印刷する。すなわち、オリジナルデータを印刷した原稿からはコピーが可能だが、上記原稿を読み取ったコピーデータ中に地紋パターンが含まれておらず複写禁止が示されている場合には地紋パターンを付加してコピーデータが印刷される。
【００３２】
これにより、例えば図５に示すように、オリジナルデータを印刷した原稿からの複写は可能とし、オリジナルデータを印刷した原稿の複写の際に地紋を埋め込むことにより、再複写の際に地紋パターンによる「コピー禁止」の文字列を出現させることができる。また、オリジナルデータを印刷した原稿には地紋パターンが印刷させないので、見た目を損なうことがない。
【図面の簡単な説明】
【００３３】
【図１】本発明を適用した画像形成装置とクライアントからなる印刷システムを示すブロック図である。
【図２】上記クライアントのハードウェア構成を示すブロック図である。
【図３】上記画像形成装置のハードウェア構成を示すブロック図である。
【図４】上記画像形成装置における印刷処理の手順を示すフローチャートである。
【図５】上記画像形成装置による印刷処理例を模式的に示す図である。
【符号の説明】
【００３４】
１００  印刷システム、
１１０  クライアント、
１１１  ＣＰＵ、
１１２  ＲＯＭ、
１１３  ＲＡＭ、
１１４  ハードディスク、
１１５  表示部、
１１６  入力部、
１１７  ネットワークインタフェース、
１１８  バス、
１２０  画像形成装置、
１２１  ＣＰＵ、
１２２  ＲＯＭ、
１２３  ＲＡＭ、
１２４  ハードディスク部、
１２５  操作パネル部、
１２６  印刷部、
１２７  画像処理部、
１２８  画像検知部、
１２９  印刷部、
１３０  ネットワーク、
１３１  ネットワークインタフェース、
１３２  バス、
【図１】
2008005309.tif 000003
【図２】
2008005309.tif 000004
【図３】
2008005309.tif 000005
【図４】
2008005309.tif 000006
【図５】
2008005309.tif 000007